(57)【要約】【課題】単語を効果的に学習しながらクロスワードを作成する。【解決手段】学習した単語カードＣｎの英単語の訳語とそのスペルを、スペル誤りがあった場合はその文字および文字位置と共に登録した単語帳データを有し、同単語帳データに登録された各単語カードＣｎ…を単語カード選択エリアＡ２に表示させ、任意のカードＣｎを順次タッチ選択してクロスワード作成エリアＡ１にドラッグする。選択された単語カードＣｎの英単語の文字数に対応した単語枠Ｗｎが表示されるのに伴い、これ以前の単語カードＣｎの選択ドラッグにより既に表示された単語枠Ｗｍに入る英単語と今回表示された単語枠Ｗｎに入る英単語との間に同じ文字がある場合、各単語枠Ｗｍ，Ｗｎの該当する文字位置の表示マスが連結可能な表示マスとして識別表示Ｇｒされる。【選択図】      図６
2015049493.tif 000002
【特許請求の範囲】
【請求項１】
複数の単語の文字列を読み出しする単語読出手段と、
この単語読出手段により読み出しされた単語から複数の単語を指定する単語指定手段と、
この単語指定手段により指定された複数の単語それぞれの文字数に応じた単語枠を表示させる単語枠表示制御手段と、
この単語枠表示制御手段により表示された各単語枠において、当該各単語枠に対応する各単語の各文字列のうち同じ文字の部分を識別表示させる文字識別表示制御手段と、
この文字識別表示制御手段により識別表示された各単語の同じ文字の部分のうち何れかの同じ文字の部分をユーザ操作に応じて連結する単語枠連結手段と、
この単語枠連結手段により連結された各単語枠をクロスワードとして記憶するクロスワード記憶手段と、
を備えたことを特徴とする単語表示制御装置。
【請求項２】
複数の単語の文字列を記憶する単語記憶手段を備え、
前記単語読出手段は、前記単語記憶手段から複数の単語の文字列を読み出しすることを特徴とする請求項１に記載の単語表示制御装置。
【請求項３】
前記単語読出手段は、ネットワークを介して接続されたサーバから通信により複数の単語の文字列を読み出しすることを特徴とする請求項１に記載の単語表示制御装置。
【請求項４】
前記単語読出手段は、さらに、複数の単語の文字列をユーザ操作に応じて入力された際の誤り文字と共に読み出し、
前記文字識別表示制御手段は、前記識別表示させる同じ文字の部分が、前記単語読出手段により該当する単語の誤り文字として読み出されている場合と、そうでない場合とで異なる表示態様で識別表示させる誤り識別表示制御手段を備えたことを特徴とする請求項１〜３のいずれか１項に記載の単語表示制御装置。
【請求項５】
前記単語読出手段は、さらに、複数の単語の文字列とその単語の訳とを対応付けて読み出し、
前記単語指定手段は、前記単語読出手段により読み出しされた複数の単語それぞれの訳語を一覧にして表示させる訳語一覧表示制御手段を有し、この訳語一覧表示制御手段により一覧表示された訳語からユーザ操作に応じて任意の複数の訳語を指定することにより、当該指定された訳語に対応する複数の単語を指定する、
ことを特徴とする請求項１〜４のいずれか１項に記載の単語表示制御装置。
【請求項６】
前記単語枠表示制御手段は、前記単語指定手段により指定された複数の単語それぞれの文字数に応じた単語枠を当該単語の文字列を入力せずに表示させ、
ユーザ操作に応じていずれかの単語枠に対して文字を入力する文字入力手段と、
この文字入力手段により入力された文字を当該単語枠に対応する前記指定単語の入力文字列として前記単語枠表示制御手段により表示された単語枠に入力して表示させる文字入力表示制御手段と、
この入力文字列が正しいか誤りかを当該指定の単語枠に対応した前記単語読出手段により読み出しされた単語の文字列に基づき判定する正誤判定手段と、
をさらに備えたことを特徴とする請求項５に記載の単語表示制御装置。
【請求項７】
前記クロスワード記憶手段により記憶されたクロスワードを表示させるクロスワード表示制御手段と、
このクロスワード表示制御手段により表示されたクロスワードのユーザ任意に指定された単語枠に、前記文字入力手段により入力された文字を単語の文字列として入力して表示させる解答入力表示制御手段と、
この解答入力表示制御手段により前記指定の単語枠に入力されて表示された文字列が正しいか誤りかを当該指定の単語枠に対応した前記単語読出手段に読み出しされた単語の文字列に基づき判定する解答正誤判定手段と、
この解答正誤判定手段により前記指定の単語枠に入力されて表示された文字列が誤りと判定された場合に、当該誤りと判定された文字の部分を識別表示させる誤り文字識別表示制御手段と、
を備えたことを特徴とする請求項６に記載の単語表示制御装置。
【請求項８】
前記誤り文字識別表示制御手段により前記指定の単語枠の誤りと判定された文字の部分が識別表示された後に、当該文字の部分に正しい文字を表示して識別表示させる正解文字識別表示制御手段を備えた、
ことを特徴とする請求項７に記載の単語表示制御装置。
【請求項９】
前記クロスワード表示制御手段により表示されたクロスワードのうちユーザ任意に指定された単語枠に対応する単語の訳語をヒントとして表示させる訳語表示制御手段を備えた、
ことを特徴とする請求項７または請求項８に記載の単語表示制御装置。
【請求項１０】
前記クロスワード表示制御手段により表示されたクロスワードのうちユーザ任意に指定された単語枠に対応する単語カードの文字列の音声をヒントとして出力させる音声出力制御手段を備えた、
ことを特徴とする請求項７または請求項８に記載の単語表示制御装置。
【請求項１１】
表示部とメモリを備えた電子機器のコンピュータを制御するためのプログラムであって、
前記コンピュータを、
複数の単語の文字列を読み出しさせる単語読出手段、
この単語読出手段により読み出しされた単語から複数の単語を指定する単語指定手段、
この単語指定手段により指定された複数の単語それぞれの文字数に応じた単語枠を前記表示部に表示させる単語枠表示制御手段、
この単語枠表示制御手段により表示された各単語枠において、当該各単語枠に対応する各単語の各文字列のうち同じ文字の部分を識別表示させる文字識別表示制御手段、
この文字識別表示制御手段により識別表示された各単語枠間の同じ文字の部分のうち何れかの同じ文字の部分をユーザ操作に応じて連結する単語枠連結手段、
この単語枠連結手段により連結された各単語枠をクロスワードとして前記メモリに記憶させるクロスワード記憶手段、
として機能させるためのコンピュータ読み込み可能なプログラム。
【発明の詳細な説明】
【技術分野】
【０００１】
本発明は、クロスワードを作成して表示するための単語表示制御装置およびその制御プログラムに関する。
【背景技術】
【０００２】
従来の語学学習システムであって、ユーザが学習して語学情報記憶手段に記憶させた単語集に基づいて、ユーザレベルに応じたクロスワードを自動作成する機能が考えられている（例えば、特許文献１参照。）。
【先行技術文献】
【特許文献】
【０００３】
【特許文献１】特開２００４−１５１４２１号公報
【発明の概要】
【発明が解決しようとする課題】
【０００４】
前記従来のクロスワードの作成機能では、ユーザが学習した単語集を使用してクロスワードを作成するものではあるものの、単に単語集からクロスワードを自動作成するに過ぎず、当該クロスワードをユーザ自身で作成することによって単語の学習効果を高めるものとはなっていない。
【０００５】
本発明は、このような課題に鑑みてなされたもので、クロスワードを作成しながら単語を効果的に学習することが可能になる単語表示制御装置を提供することを目的とする。
【課題を解決するための手段】
【０００６】
本発明に係る単語表示制御装置は、複数の単語の文字列を読み出しする単語読出手段と、この単語読出手段により読み出しされた単語から複数の単語を指定する単語指定手段と、この単語指定手段により指定された複数の単語それぞれの文字数に応じた単語枠を表示させる単語枠表示制御手段と、この単語枠表示制御手段により表示された各単語枠において、当該各単語枠に対応する各単語の各文字列のうち同じ文字の部分を識別表示させる文字識別表示制御手段と、この文字識別表示制御手段により識別表示された各単語の同じ文字の部分のうち何れかの同じ文字の部分をユーザ操作に応じて連結する単語枠連結手段と、この単語枠連結手段により連結された各単語枠をクロスワードとして記憶するクロスワード記憶手段と、を備えたことを特徴としている。
【発明の効果】
【０００７】
本発明によれば、クロスワードを作成しながら単語を効果的に学習することが可能になる。
【図面の簡単な説明】
【０００８】
【図１】本発明の単語表示制御装置の実施形態に係る電子辞書装置１０の電子回路の構成を示すブロック図。
【図２】前記電子辞書装置１０のクロスワード作成処理（その１）を示すフローチャート。
【図３】前記電子辞書装置１０のクロスワード作成処理（その２）を示すフローチャート。
【図４】前記電子辞書装置１０のクロスワード解答処理を示すフローチャート。
【図５】前記電子辞書装置１０のクロスワード作成処理に伴う表示動作（その１）を示す図。
【図６】前記電子辞書装置１０のクロスワード作成処理に伴う表示動作（その２）を示す図。
【図７】前記電子辞書装置１０のクロスワード作成処理に伴う表示動作（その３）を示す図。
【図８】前記電子辞書装置１０のクロスワード作成処理に伴う「確認」アイコンＢｃの入力固定状態での表示動作を示す図。
【図９】前記電子辞書装置１０のクロスワード解答処理に伴う表示動作（その１）を示す図。
【図１０】前記電子辞書装置１０のクロスワード解答処理に伴う表示動作（その２）を示す図。
【図１１】前記電子辞書装置１０のクロスワード作成処理に伴う表示動作（その３）を示す図。
【発明を実施するための形態】
【０００９】
以下図面により本発明の実施の形態について説明する。
【００１０】
図１は、本発明の単語表示制御装置の実施形態に係る電子辞書装置１０の電子回路の構成を示すブロック図である。
【００１１】
この電子辞書装置１０は、以下に説明する電子辞書専用の携帯機器（電子辞書装置１０）として構成されるか、辞書機能を備えたＰＤＡ(personal digital assistants)、ＰＣ(personal computer)、携帯電話、電子ブック、携帯ゲーム機等として構成される。
【００１２】
この電子辞書装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１３】
このＣＰＵ１１には、メモリ１２、記録媒体読取部１４、通信部１５、キー入力部１６、タッチパネル式メイン表示部１７、タッチパネル式サブ表示部１８、音声出力部１９などが接続される。
【００１４】
前記ＣＰＵ１１は、メモリ（フラッシュＲＯＭ）１２内に予め記憶された装置制御プログラム、あるいはＲＯＭカードなどの外部記録媒体１３から記録媒体読取部１４を介して前記メモリ１２に読み込まれた装置制御プログラム、あるいはインターネットＮ上のＷｅｂサーバ（この場合はプログラムサーバ）２０から通信部１５を介して前記メモリ１２に読み込まれた装置制御プログラムに応じて、回路各部の動作を制御する。
【００１５】
前記メモリ１２に記憶された装置制御プログラムは、キー入力部１６、タッチパネル式メイン表示部１７、タッチパネル式サブ表示部１８からのユーザ操作に応じた入力信号、あるいは通信部１５を介して接続されるインターネットＮ上の各Ｗｅｂサーバ２０との通信信号、あるいは記録媒体読取部１４を介して外部接続されるＥＥＰＲＯＭ，ＲＡＭ，ＲＯＭなどのメモリ・カード（記録媒体）１３との接続通信信号に応じて起動される。
【００１６】
前記メモリ１２に記憶される装置制御プログラムとしては、当該電子辞書装置１０の全体の動作を司るシステムプログラムや、通信部１５を介してインターネットＮ上の各Ｗｅｂサーバ２０や図示しないユーザＰＣ(Personal Computer)などとデータ通信するための通信プログラムが記憶される。
【００１７】
また、前記装置制御プログラムとしては、検索文字列の入力に応じて見出し語などを検索する見出し語検索処理、検索された見出し語に対応した説明情報（対訳語・例文・解説など）の読み出し表示処理、前記タッチパネル式サブ表示部１８においてユーザが手書き入力した単語訳とそのスペル（例えば英単語の訳語（日本語）とその単語スペル）とを単語カード（イメージ）の表裏に対応付けて登録する単語帳登録処理、登録された単語帳から任意の単語を選択してクロスワードを作成するクロスワード作成処理、作成されたクロスワードを表示させてユーザに解かせるクロスワード解答処理など、同メモリ１２内に記憶された辞書データベース１２ｂや単語帳データ１２ｃ、クロスワードデータ１２ｄ、解答データ１２ｅに基づく処理全般を制御するための各種情報表示制御プログラム１２ａが記憶される。
【００１８】
前記辞書データベース１２ｂとしては、英単語の見出し語に対応付けてその日本語訳などの説明情報が記述された［英和辞書］、漢字／カナの見出し語に対応付けてその英語訳などの説明情報が記述された［和英辞書］、英単語の見出し語に対応付けて他の英語訳などの説明情報が記述された［英英辞書］などが記憶される。なお、前記各辞書に集録される見出し語には、当該見出し語の読み（発音）の音声データも対応付けられて記憶される。
【００１９】
前記単語帳データ１２ｃとしては、ユーザが手書き入力した単語の訳語とそのスペルが単語カード（イメージ）の表裏に対応付けられて、登録される。またこれに伴い、前記手書き入力された単語のスペルが文字認識され前記辞書データベース１２ｂに基づき正誤判断されることで、例えば英単語のスペルの誤り文字と文字位置が共に前記メモリ１２に登録される。前記単語帳データ１２ｃは、前記メモリ１２にから読み出されて、クロスワード作成処理に利用される。なおＷｅｂサーバ２０から通信部１５を介して単語帳データ１２ｃをダウンロードして読み出してクロスワード作成処理に利用するようにしても良い。
【００２０】
また、前記解答データ１２ｅとしては、前記クロスワード作成処理あるいはクロスワード解答処理において手書き入力された単語が文字認識され、前記辞書データベース１２ｂに基づきその正誤データとスペル誤りがある場合の誤り文字が記憶される。
【００２１】
このように構成された電子辞書装置１０は、ＣＰＵ１１が前記情報表示制御プログラム１２ａ（前記見出し語検索処理、説明情報表示処理、単語帳登録処理、クロスワード作成処理、クロスワード解答処理等を実行するためのプログラムを含む）に記述された命令に従い回路各部の動作を制御し、ソフトウエアとハードウエアとが協働して動作することにより、以下の動作説明で述べる機能を実現する。
【００２２】
次に、前記構成による電子辞書装置１０の動作について説明する。
【００２３】
図２は、前記電子辞書装置１０のクロスワード作成処理（その１）を示すフローチャートである。
【００２４】
図３は、前記電子辞書装置１０のクロスワード作成処理（その２）を示すフローチャートである。
【００２５】
図４は、前記電子辞書装置１０のクロスワード解答処理を示すフローチャートである。
【００２６】
図５は、前記電子辞書装置１０のクロスワード作成処理に伴う表示動作（その１）を示す図である。
【００２７】
図６は、前記電子辞書装置１０のクロスワード作成処理に伴う表示動作（その２）を示す図である。
【００２８】
図７は、前記電子辞書装置１０のクロスワード作成処理に伴う表示動作（その３）を示す図である。
【００２９】
（クロスワード作成処理）
キー入力部１６のユーザ操作に応じてクロスワード処理が起動されると、図５（Ａ）に示すように、タッチパネル式メイン表示部１７に対して、クロスワード作成ボタンＫｍとクロスワード解答ボタンＫａとを配列したクロスワードスタート画面Ｇが表示される。
【００３０】
このクロスワードスタート画面Ｇにおいて、クロスワード作成ボタンＫｍがタッチされクロスワードの作成が選択されると（ステップＳ１（Ｙｅｓ））、図５（Ｂ）に示すように、タッチパネル式メイン表示部１７に対して、クロスワード作成エリアＡ１と単語カード選択エリアＡ２とからなるクロスワード作成画面Ｇｍが表示される（ステップＳ２）。
【００３１】
このクロスワード作成画面Ｇｍの左端には、アイコン入力エリアＭが設けられ、「音声」アイコンＢｓ、「確認」アイコンＢｃ、「終了」アイコンＢｅが表示される。
【００３２】
前記単語カード選択エリアＡ２には、前記単語帳データ１２ｃとして登録されている各単語カード「やさしい」Ｃ１，「〜に接続する」Ｃ２，「情報」Ｃ３，…が、それぞれその訳語（日本語）を表にした状態でスクロールおよび選択可能に表示される。
【００３３】
例えば、前記単語カード選択エリアＡ２に表示されたユーザ任意の単語カード「情報」Ｃ３がペンタッチＰされ、矢印ｘに示すように、クロスワード作成エリアＡ１へのドラッグ操作が検出されると（ステップＳ３）、図５（Ｃ）に示すように、ドラッグされた単語カードＣ３の訳語「情報」がタッチパネル式サブ表示部１８に表示されると共に、当該訳語「情報」の英単語「information」の文字数に合わせた横の単語枠Ｗ１が前記クロスワード作成エリアＡ１に表示される（ステップＳ４）。
【００３４】
すると、前記クロスワード作成エリアＡ１に今回表示された単語枠Ｗ１ではない他の単語枠Ｗｎが表示されているか否か判断される（ステップＳ５）。
【００３５】
そして、他の単語枠Ｗｎが表示されていないと判断されると（ステップＳ５（Ｎｏ））、前記タッチパネル式サブ表示部１８が前記英単語を解答としてユーザ入力するための待機状態となる（ステップＳ８）。
【００３６】
ここで、前記アイコン入力エリアＭに表示されている「音声」アイコンＢｓがタッチされると（ステップＳ９（Ｙｅｓ））、前記選択された単語カード「情報」Ｃ３の英単語「information」の読み（発音）の音声データが辞書データベース１２ｂから読み出され、音声出力部１９から出力される（ステップＳ１０）。
【００３７】
前記タッチパネル式サブ表示部１８において、解答としての英単語が手書き入力されると、文字認識されたスペルが前記単語枠Ｗ１に入力されて表示される（ステップＳ８）。
【００３８】
例えば、図６（Ａ）に示すように、タッチパネル式サブ表示部１８に、解答として誤ったスペルの英単語「informasion」が手書き入力され、文字認識されたスペルが前記単語枠Ｗ１に表示された状態で（ステップＳ８）、前記アイコン入力エリアＭに表示されている「確認」アイコンＢｃがタッチされると（ステップＳ１１（Ｙｅｓ））、前記単語枠Ｗ１の誤っているスペル「ｓ」の表示マスが赤色で識別表示Ｒｅされると共に、選択された単語カードＣ３として登録されている正しいスペルの英単語「information」がタッチパネル式サブ表示部１８に正解として表示される（ステップＳ１２）。
【００３９】
前記単語枠Ｗ１において、赤色識別表示Ｒｅされている誤ったスペル「ｓ」の表示マスがタッチされると（ステップＳ１４（Ｙｅｓ））、正しいスペル「ｔ」に訂正され青色で識別表示Ｂｌされる（ステップＳ１５）。
【００４０】
そして、キー入力部１６の訳／決定キーが操作されると（ステップＳ１３）、図６（Ｂ）に示すように、クロスワード作成画面Ｇｍに再び単語カード選択エリアＡ２が表示され、次の単語カードＣｎを選択可能な状態になる。
【００４１】
前記単語カード選択エリアＡ２に表示されたユーザ任意の次の単語カード「食卓」Ｃ４がペンタッチＰされ、矢印ｘに示すように、クロスワード作成エリアＡ１へのドラッグ操作が検出されると（ステップＳ３）、ドラッグされた単語カードＣ４の訳語「食卓」がタッチパネル式サブ表示部１８に表示されると共に、当該訳語「食卓」に対応した英単語「table」の文字数に合わせた縦の単語枠Ｗ２が前記横の単語枠Ｗ１が表示されたクロスワード作成エリアＡ１に表示される（ステップＳ４）。
【００４２】
そして、今回表示された縦の単語枠Ｗ２ではない横の単語枠Ｗ１が表示されていると判断されると（ステップＳ５（Ｙｅｓ））、当該横の単語枠Ｗ１に表示されている英単語「information」と前記選択された単語カードＣ４の英単語「table」とに基づき、各対応する単語枠Ｗ１とＷ２との連結可能な同じ文字部分「ｔ」が認識され、その表示マスが緑色で識別表示Ｇｒされる。なお本実施形態においては、最初に指定された文字枠Ｗ１の各文字と連結可能な後に指定された文字枠Ｗ２の先頭文字が識別表示されるようになっているが、最初に指定された文字枠Ｗ１の各文字と後に指定の文字枠Ｗ２の各文字とで連結可能な文字を識別表示するようにしても良い（ステップＳ６）。
【００４３】
ここで、図６（Ｃ）に示すように、緑色で識別表示Ｇｒされた各対応する単語枠Ｗ１とＷ２との連結可能な表示マスを目印に、矢印ｙに示すように、今回表示された単語枠Ｗ２をペンタッチＰしてドラッグし前回表示された横の単語枠Ｗ１に連結させると、クロスワード枠Ｗ１，Ｗ２として表示される（ステップＳ７）。
【００４４】
そして、図７（Ａ）に示すように、タッチパネル式サブ表示部１８に、前記選択された単語カード「食卓」Ｃ４の解答としての英単語「table」が手書き入力されると、文字認識されたスペルが前記縦の単語枠Ｗ２に入力されて表示される（ステップＳ８）。
【００４５】
この後、前記同様にステップＳ３〜Ｓ１３の処理に従い、順次任意の単語カードＣｎ…を選択してクロスワード作成エリアＡ１にドラッグし、これに応じて表示された新たな単語枠Ｗｎとそれ以前の単語枠Ｗｍとを、それぞれ緑色に識別表示Ｇｒされた同じ文字部分の表示マスを目印にして連結させることで、その都度クロスワード枠Ｗ１，Ｗ２，Ｗ３，…が生成されて表示される。
【００４６】
この際、前記クロスワード作成エリアＡ１に順次選択された単語カードＣｎ…がドラッグされるのに伴い表示される各単語枠Ｗｎ…について、単語帳データ１２ｃに当該単語カードＣｎの英単語に対応したスペルの誤り文字と文字位置が登録されている場合には、前記各単語枠Ｗｎ…間で同じ文字部分となる連結可能な表示マスのうち、スペルの誤りがあった文字位置として登録されているところの表示マスが優先して緑色に識別表示Ｇｒされる。
【００４７】
このため、過去の単語カードＣｎでの学習において誤りがあったスペルの部分を、別の単語と絡めたクロスワードとして作成し学習することができ、当該クロスワードの作成によって単語の学習効果をより一層高めることができる。
【００４８】
そして、前記ステップＳ３〜Ｓ１３の処理に従い、図７（Ｂ）に示すように、クロスワード作成エリアＡ１に作成された各単語枠Ｗ１〜Ｗ５からなるクロスワードにおいて、その正誤確認処理（ステップＳ１１，Ｓ１２）に伴い、単語枠Ｗ１とＷ２との連結部の表示マスが誤り文字「ｓ」を表示して赤色に識別表示Ｒｅされている状態で、当該赤色の表示マス（Ｒｅ）がペンタッチＰされたと判断されると（ステップＳ１４（Ｙｅｓ））、図７（Ｃ）に示すように、同表示マスには正解の文字「ｔ」が表示され青色に識別表示Ｂｌされる（ステップＳ１５）。
【００４９】
また、前記青色に識別表示Ｂｌされた表示マスがペンタッチＰされたと判断されると（ステップＳ１６（Ｙｅｓ））、図７（Ｃ）に示すように、同表示マスには誤り文字「ｓ」が表示され再び赤色に識別表示Ｒｅされる（ステップＳ１７）。
【００５０】
また、アイコン入力エリアＭの「音声」アイコンＢｓがタッチされたと判断されると（ステップＳ１８（Ｙｅｓ））、前記正誤確認処理の対象である単語枠Ｗｎに対応した英単語の読みの音声が音声出力部１９から出力される（ステップＳ１９）。
【００５１】
そして、「終了」アイコンＢｅがタッチされたと判断されると（ステップＳ２０（Ｙｅｓ））、前記クロスワード作成エリアＡ１において作成されて表示されているクロスワードが、クロスワードデータ１２ｄとして保存される（ステップＳ２１）。
【００５２】
このクロスワード作成処理の実施形態では、図７（Ｃ）で示した、単語枠Ｗ１「information／情報」、Ｗ２「table／食卓」、Ｗ３「feast／祝宴」、Ｗ４「acid／酸」、Ｗ５「easy／やさしい」からなるクロスワードが作成されクロスワードデータ１２ｄとして登録される。
【００５３】
一方、前記任意の単語カードＣｎをクロスワード作成エリアＡ１にドラッグしてその単語枠Ｗｎに解答としての英単語を表示させた状態で（ステップＳ３〜Ｓ８）、前記正誤確認処理（ステップＳ１２）に移行される前に、アイコン入力エリアＭの「終了」アイコンＢｅがタッチされたと判断されると（ステップＳ２２（Ｙｅｓ））、その時点でクロスワード作成エリアＡ１に作成されているクロスワードが、クロスワードデータ１２ｄとして途中保存される（ステップＳ２３）。
【００５４】
図８は、前記電子辞書装置１０のクロスワード作成処理に伴う「確認」アイコンＢｃの入力固定状態での表示動作を示す図である。
【００５５】
前記クロスワードの作成処理（ステップＳ２〜Ｓ２０）において、図８（Ａ）に示すように、アイコン入力エリアＭの「確認」アイコンＢｃが予めタッチされた入力固定状態では、クロスワード作成画面Ｇｍの単語カード選択エリアＡ２に表示された任意の単語カードＣ３をペンタッチＰしてクロスワード作成エリアＡ１にドラッグ（ｘ）した際には、当該単語カードＣ３の訳語「情報」に対応する英単語のスペル「information」を、ユーザが手書き入力して正誤確認指示することなく、単語帳データ１２ｃから読み出された英単語のスペルが直ちに表示される。そして、前記単語帳データ１２ｃに記憶された前記単語カードＣ３の英単語「information」について、スペルの誤り文字「s」とその文字位置が登録されている場合には、該当する表示マスが赤色で識別表示Ｒｅされる。
【００５６】
よって前記同様に、アイコン入力エリアＭの「確認」アイコンＢｃが予めタッチされた入力固定状態では、図８（Ｂ）に示すように、クロスワード作成エリアＡ１に前の単語枠Ｗ１が表示された後、次の単語カードＣｎのクロスワード作成エリアＡ１へのタッチ＆ドラッグに伴い該当する単語枠Ｗ２が表示され、矢印ｙに示すように、前記前の単語枠Ｗ１に結合させる場合でも、当該単語枠Ｗ２には、単語帳データ１２ｃから読み出された英単語のスペル「table」が直ちに表示される。
【００５７】
（クロスワード解答処理）
図９は、前記電子辞書装置１０のクロスワード解答処理に伴う表示動作（その１）を示す図である。
【００５８】
図１０は、前記電子辞書装置１０のクロスワード解答処理に伴う表示動作（その２）を示す図である。
【００５９】
図１１は、前記電子辞書装置１０のクロスワード作成処理に伴う表示動作（その３）を示す図である。
【００６０】
ここで、前記クロスワード作成処理により作成されたクロスワードデータ１２ｄとしては、図７（Ｃ）で示したクロスワードが作成されて登録されている。
【００６１】
図９（Ａ）に示すように、タッチパネル式メイン表示部１７に対して表示された、クロスワード作成ボタンＫｍとクロスワード解答ボタンＫａとを配列したクロスワードスタート画面Ｇにおいて、クロスワード解答ボタンＫａがタッチされクロスワードの解答が選択されると（ステップＳ２４（Ｙｅｓ））、図９（Ｂ）に示すように、クロスワードデータ１２ｄとして登録さているクロスワードを、その各単語枠Ｗ１〜Ｗ５をブランクにして表示したクロスワード解答画面Ｇａが表示される（ステップＳ２５）。
【００６２】
この際、クロスワード解答画面Ｇａに表示されたクロスワードの各単語枠Ｗ１〜Ｗ５に対応して保存されている英単語のスペルのうち、前記単語帳データ１２ｃに誤り文字とその文字位置が記憶されている場合には、当該文字位置の表示マスが赤色に識別表示Ｒｅされ、前記単語カードＣｎによる過去の単語学習においてスペル誤りがあったことが示される（ステップＳ２６）。
【００６３】
そして、前記表示されたクロスワードの各単語枠Ｗ１〜Ｗ５について、前回その途中まで解答して保存した場合に、既に解答済みの英単語がある場合には（ステップＳ２７（Ｙｅｓ））、その解答により入力済みであった英単語のスペルが該当する単語枠Ｗｎに入力されて表示される（ステップＳ２８）。
【００６４】
すると、前記表示されたクロスワードの解答が未入力である単語枠Ｗｎ…のうち、解答画面Ｇａ内で最も左端且つ上端に位置する単語枠Ｗｎが太枠化されて指定表示Ｈされる（ステップＳ２９）。
【００６５】
また、図９（Ｃ）に示すように、表示されたクロスワードの中でユーザが解答対象としたい何れかの単語枠Ｗ１がペンタッチＰされた場合には（ステップＳ３０（Ｙｅｓ））、当該タッチされた単語枠Ｗ１が太枠化されて指定表示Ｈされる（ステップＳ３１）。
【００６６】
そして、図１０（Ａ）に示すように、タッチパネル式サブ表示部１８に対して、前記単語枠Ｗ１に対応した解答としての英単語「information」が手書き入力され（ステップＳ３２（Ｙｅｓ））、キー入力部１６の訳／決定キーが押下されると（ステップＳ３３（Ｙｅｓ））、当該手書き入力された英単語が文字認識されて前記単語枠Ｗ１に入力されて表示される（ステップＳ３４）。
【００６７】
ここで、アイコン入力エリアＭの「確認」アイコンＢｃがタッチされると（ステップＳ３５（Ｙｅｓ））、前記単語枠Ｗ１に入力された英単語のスペルについて、前記クロスワード作成処理の場合と同様に正誤確認の処理が実行され、誤った文字がある場合、および単語帳データ１２ｃとして過去の単語カードＣｎの学習時に誤った文字としての登録がある場合には、その文字位置の表示マスが赤色に識別表示Ｒｅされて報知される（ステップＳ３６）。
【００６８】
また、アイコン入力エリアＭの「縦のカギ（ヒント）」アイコンＢｔｈがタッチされると（ステップＳ３７（Ｙｅｓ））、そのとき指定表示Ｈされている縦の単語枠Ｗｎに対応して単語帳データ１２ｃに記憶されている単語カードＣｎの表のデータ（訳語）がヒントとしてサブ表示部１８に表示される（ステップＳ３８）。具体的には、例えば縦のカギである単語枠Ｗ２が指定表示Ｈされている場合には、単語カードＣ４（図６（Ｂ）参照）の訳語「食卓」がヒントとしてサブ表示部１８に表示される。
【００６９】
また、アイコン入力エリアＭの「横のカギ（ヒント）」アイコンＢｙｈがタッチされた場合（ステップＳ３９（Ｙｅｓ））も前記同様に、そのとき指定表示Ｈされている横の単語枠Ｗｎに対応して単語帳データ１２ｃに記憶されている単語カードＣｎの表のデータ（訳語）がヒントとしてサブ表示部１８に表示される（ステップＳ４０）。具体的には、例えば図１１（Ａ）に示すように、横のカギである単語枠Ｗ１が指定表示Ｈされている場合には、単語カードＣ３（図５（Ｂ）参照）の訳語「情報」がヒントとしてサブ表示部１８に表示される。また、例えば図１１（Ｂ）に示すように、横のカギである単語枠Ｗ４が指定表示Ｈされている場合には、単語カードＣｎの訳語「酸」がヒントとしてサブ表示部１８に表示される。
【００７０】
さらに、図１０（Ｂ）に示すように、クロスワードの単語枠Ｗ３をペンタッチＰして指定表示Ｈさせた状態で、図１０（Ｃ）に示すように、「音声」アイコンＢｓがタッチされると（ステップＳ４１（Ｙｅｓ））、当該指定表示Ｈされている単語枠Ｗ３に対応して登録されている英単語「feast」の読みの音声データＳｈが前記辞書データベース１２ｂから読み出され、音声出力部１９から出力される（ステップＳ４２）。
【００７１】
この後、「終了」アイコンＢｅがタッチされると（ステップＳ４３（Ｙｅｓ））、前記クロスワード解答画面Ｇａにそのとき表示されているクロスワードの内容でクロスワードデータ１２ｄが更新されて保存される（ステップＳ４４）。
【００７２】
したがって、前記構成の電子辞書装置１０のクロスワード作成機能によれば、ユーザが学習した単語カードＣｎの表として英単語の訳語（日本語）、裏としてそのスペルを、スペル誤りがあった場合にはその文字および文字位置と共に登録した単語帳データ１２ｃを有し、この単語帳データ１２ｃに登録されている各単語カードＣｎ…を、クロスワード作成画面Ｇｍの単語カード選択エリアＡ２に選択的に表示させ、任意の単語カードＣｎを順次ペンタッチＰで選択してクロスワード作成エリアＡ１にドラッグする。すると、選択された単語カードＣｎの英単語の文字数に対応した単語枠Ｗｎが表示されるのに伴い、これ以前の単語カードＣｎの選択ドラッグにより既に表示された単語枠Ｗｍに入る英単語と今回表示された単語枠Ｗｎに入る英単語との間に同じ文字がある場合には、各単語枠Ｗｍ，Ｗｎの該当する文字位置の表示マスが連結可能な表示マスとして緑色で識別表示Ｇｒされる。この際、前記各単語枠Ｗｍ，Ｗｎ間で同じ文字部分となる連結可能な表示マスのうち、前記単語帳データ１２ｃにてスペルの誤りがあった文字位置として登録されているところの表示マスが優先して緑色に識別表示Ｇｒされる。
【００７３】
このため、過去の単語カードＣｎでの学習において誤りがあったスペルの部分を、別の単語と絡めたクロスワードとして作成して学習することができ、当該クロスワードの作成によって単語の学習効果をより一層高めることができる。
【００７４】
また、前記構成の電子辞書装置１０のクロスワード解答機能によれば、クロスワード解答画面Ｇｍに表示されたクロスワードの単語枠Ｗｎに対して、タッチパネル式サブ表示部１８において解答として手書き入力された英単語のスペルが文字認識されて入力表示された際に、正誤確認処理によりそのスペルに誤った文字がある場合には、その文字位置の表示マスが赤色で識別表示Ｒｅされる。そして、正しいスペルが入力された場合には、該当する文字位置の表示マスが青色に識別表示Ｂｌされる。
【００７５】
このため、過去の単語カードＣｎでの学習において誤りがあったスペルの部分を、別の単語と絡めたクロスワードとして作成して学習することができるだけでなく、当該誤りがあったスペルの部分をユーザは一目で注意点として認識できる。
【００７６】
また、前記構成の電子辞書装置１０のクロスワード解答機能によれば、クロスワード解答画面Ｇａに表示されたクロスワードにおいて、ユーザ任意の縦または横の単語枠ＷｎをペンタッチＰにより指定表示Ｈさせて、「横のカギ（ヒント）」アイコンＢｙｈまたは「縦のカギ（ヒント）」アイコンＢｔｈをタッチすると、その単語枠Ｗｎに入る英単語に対応した単語帳データ１２ｃにおける単語カードＣｎの訳語をサブ表示部１８にヒントとして表示できる。
【００７７】
さらに、前記ユーザ任意の単語枠ＷｎをペンタッチＰにより指定表示Ｈさせて「音声」アイコンＢｓをタッチすると、その単語枠Ｗｎに入る英単語の読みの音声データが辞書データベース１２ｂから読み出され、音声出力部１９からヒントとして出力される。
【００７８】
また、前記構成の電子辞書装置１０のクロスワード作成機能によれば、前記クロスワード作成画面Ｇｍの単語カード選択エリアＡ２には、各単語カードＣｎ…の表である英単語の訳語（日本語）が選択的に表示される。そして、任意の単語カードＣｎを選択して前記クロスワード作成エリアＡ２にドラッグした際に、当該単語カードＣｎの英単語のスペルの文字数に応じて表示される単語枠Ｗｎには、その英単語が入力されずに表示される。そして、前記選択された単語カードＣｎの訳語（日本語）に基づき、タッチパネル式サブ表示部１８にて該当する英単語が手書き入力されると、文字認識された当該英単語のスペルが前記単語枠Ｗｎに入力されて表示される。
【００７９】
このため、単語帳データ１２ｃに登録された単語カードＣｎ…の問題を解きながらクロスワードを作成することができ、高い学習効果が得られる。
【００８０】
なお、前記各実施形態において記載した電子辞書装置１０による各処理の手法およびデータベース、すなわち、図２〜図４のフローチャートに示すクロスワードの作成および解答を含むクロスワード処理の各手法、および辞書データベース１２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、タッチパネル式のメイン表示部１７およびサブ表示部１８を備えた単語帳データ１２ｃを有する電子機器のコンピュータは、この外部記録媒体１３に記憶されたプログラムをメモリ１２に読み込み、この読み込んだプログラムによって動作が制御されることにより、前記各実施形態において説明した単語カードＣｎからのクロスワードの作成機能および解答機能を実現し、前述した手法による同様の処理を実行することができる。
【００８１】
また、前記各手法を実現するためのプログラムのデータは、プログラムコードの形態としてネットワークＮ上を伝送させることができ、このプログラムデータを、ネットワークＮに接続されたタッチパネル式のメイン表示部１７およびサブ表示部１８を備えた単語帳データ１２ｃを有する電子機器のコンピュータに通信部１５によって取り込むことで、前述した単語カードＣｎからのクロスワードの作成機能および解答機能を実現することもできる。
【００８２】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８３】
以下に、本願出願の当初の特許請求の範囲に記載された発明を付記する。
【００８４】
［１］
複数の単語の文字列を読み出しする単語読出手段と、
この単語読出手段により読み出しされた単語から複数の単語を指定する単語指定手段と、
この単語指定手段により指定された複数の単語それぞれの文字数に応じた単語枠を表示させる単語枠表示制御手段と、
この単語枠表示制御手段により表示された各単語枠において、当該各単語枠に対応する各単語の各文字列のうち同じ文字の部分を識別表示させる文字識別表示制御手段と、
この文字識別表示制御手段により識別表示された各単語の同じ文字の部分のうち何れかの同じ文字の部分をユーザ操作に応じて連結する単語枠連結手段と、
この単語枠連結手段により連結された各単語枠をクロスワードとして記憶するクロスワード記憶手段と、
を備えたことを特徴とする単語表示制御装置。
【００８５】
［２］
複数の単語の文字列を記憶する単語記憶手段を備え、
前記単語読出手段は、前記単語記憶手段から複数の単語の文字列を読み出しすることを特徴とする［１］に記載の単語表示制御装置。
【００８６】
［３］
前記単語読出手段は、ネットワークを介して接続されたサーバから通信により複数の単語の文字列を読み出しすることを特徴とする［１］に記載の単語表示制御装置。
【００８７】
［４］
前記単語読出手段は、さらに、複数の単語の文字列をユーザ操作に応じて入力された際の誤り文字と共に読み出し、
前記文字識別表示制御手段は、前記識別表示させる同じ文字の部分が、前記単語読出手段により該当する単語の誤り文字として読み出されている場合と、そうでない場合とで異なる表示態様で識別表示させる誤り識別表示制御手段を備えたことを特徴とする［１］〜［３］のいずれかに記載の単語表示制御装置。
【００８８】
［５］
前記単語読出手段は、さらに、複数の単語の文字列とその単語の訳とを対応付けて読み出し、
前記単語指定手段は、前記単語読出手段により読み出しされた複数の単語それぞれの訳語を一覧にして表示させる訳語一覧表示制御手段を有し、この訳語一覧表示制御手段により一覧表示された訳語からユーザ操作に応じて任意の複数の訳語を指定することにより、当該指定された訳語に対応する複数の単語を指定する、
ことを特徴とする［１］〜［４］のいずれかに記載の単語表示制御装置。
【００８９】
［６］
前記単語枠表示制御手段は、前記単語指定手段により指定された複数の単語それぞれの文字数に応じた単語枠を当該単語の文字列を入力せずに表示させ、
ユーザ操作に応じていずれかの単語枠に対して文字を入力する文字入力手段と、
この文字入力手段により入力された文字を当該単語枠に対応する前記指定単語の入力文字列として前記単語枠表示制御手段により表示された単語枠に入力して表示させる文字入力表示制御手段と、
この入力文字列が正しいか誤りかを当該指定の単語枠に対応した前記単語読出手段により読み出しされた単語の文字列に基づき判定する正誤判定手段と、
をさらに備えたことを特徴とする［５］に記載の単語表示制御装置。
【００９０】
［７］
前記クロスワード記憶手段により記憶されたクロスワードを表示させるクロスワード表示制御手段と、
このクロスワード表示制御手段により表示されたクロスワードのユーザ任意に指定された単語枠に、前記文字入力手段により入力された文字を単語の文字列として入力して表示させる解答入力表示制御手段と、
この解答入力表示制御手段により前記指定の単語枠に入力されて表示された文字列が正しいか誤りかを当該指定の単語枠に対応した前記単語読出手段に読み出しされた単語の文字列に基づき判定する解答正誤判定手段と、
この解答正誤判定手段により前記指定の単語枠に入力されて表示された文字列が誤りと判定された場合に、当該誤りと判定された文字の部分を識別表示させる誤り文字識別表示制御手段と、
を備えたことを特徴とする［６］に記載の単語表示制御装置。
【００９１】
［８］
前記誤り文字識別表示制御手段により前記指定の単語枠の誤りと判定された文字の部分が識別表示された後に、当該文字の部分に正しい文字を表示して識別表示させる正解文字識別表示制御手段を備えた、
ことを特徴とする［７］に記載の単語表示制御装置。
【００９２】
［９］
前記クロスワード表示制御手段により表示されたクロスワードのうちユーザ任意に指定された単語枠に対応する単語の訳語をヒントとして表示させる訳語表示制御手段を備えた、
ことを特徴とする［７］または［８］に記載の単語表示制御装置。
【００９３】
［１０］
前記クロスワード表示制御手段により表示されたクロスワードのうちユーザ任意に指定された単語枠に対応する単語カードの文字列の音声をヒントとして出力させる音声出力制御手段を備えた、
ことを特徴とする［７］または［８］に記載の単語表示制御装置。
【００９４】
［１１］
表示部とメモリを備えた電子機器のコンピュータを制御するためのプログラムであって、
前記コンピュータを、
複数の単語の文字列を読み出しさせる単語読出手段、
この単語読出手段により読み出しされた単語から複数の単語を指定する単語指定手段、
この単語指定手段により指定された複数の単語それぞれの文字数に応じた単語枠を前記表示部に表示させる単語枠表示制御手段、
この単語枠表示制御手段により表示された各単語枠において、当該各単語枠に対応する各単語の各文字列のうち同じ文字の部分を識別表示させる文字識別表示制御手段、
この文字識別表示制御手段により識別表示された各単語枠間の同じ文字の部分のうち何れかの同じ文字の部分をユーザ操作に応じて連結する単語枠連結手段、
この単語枠連結手段により連結された各単語枠をクロスワードとして前記メモリに記憶させるクロスワード記憶手段、
として機能させるためのコンピュータ読み込み可能なプログラム。
【符号の説明】
【００９５】
１０  …電子辞書装置
１１  …ＣＰＵ
１２  …メモリ
１２ａ…情報表示制御プログラム
１２ｂ…辞書データベース
１２ｃ…単語帳データ
１２ｄ…クロスワードデータ
１２ｅ…解答データ
１３  …外部記録媒体
１４  …記録媒体読取部
１５  …通信部
１６  …キー入力部
１７  …タッチパネル式メイン表示部
１８  …タッチパネル式サブ表示部
１９  …音声入力部
２０  …Ｗｅｂサーバ（プログラム）
Ｇ    …クロスワードスタート画面
Ｇｍ  …クロスワード作成画面
Ｇａ  …クロスワード解答画面
Ｋｍ  …クロスワード作成ボタン
Ｋａ  …クロスワード解答ボタン
Ａ１  …単語カード選択エリア
Ａ２  …クロスワード作成エリア
Ｃｎ  …単語カード
Ｗｎ  …単語枠
Ｂｓ  …「音声」アイコン
Ｂｃ  …「確認」アイコン
Ｂｅ  …「終了」アイコン
Ｒｅ  …誤り文字の赤色識別表示
Ｂｌ  …正解文字の青色識別表示
Ｇｒ  …連結可能表示マスの緑色識別表示
Ｈ    …単語枠の指定表示
【図１】
2015049493.tif 000003
【図２】
2015049493.tif 000004
【図３】
2015049493.tif 000005
【図４】
2015049493.tif 000006
【図５】
2015049493.tif 000007
【図６】
2015049493.tif 000008
【図７】
2015049493.tif 000009
【図８】
2015049493.tif 000010
【図９】
2015049493.tif 000011
【図１０】
2015049493.tif 000012
【図１１】
2015049493.tif 000013